(57)【要約】【課題】基地局設置位置に応じて基地局パラメータを自動的に設定する。【解決手段】制御装置１００は、基地局装置２００の設置される位置情報と基地局装置２００の種別情報とに対応してパラメータが記憶されるメモリ部を有する。基地局装置２００は、ＧＰＳ装置を用いて、基地局装置２００が設置された位置の位置情報を取得し、取得された位置情報と予め設定された基地局装置２００の種別情報とを制御装置１００に送信する。制御装置１００は、基地局装置２００から受信される位置情報と基地局装置２００の種別情報に基づき、メモリ部から対応するパラメータを取得して、基地局装置２００に送信する。基地局装置２００は、該位置情報と該種別情報に対応したパラメータを該制御装置１００から受信して設定し、位置情報に基づき設定されたパラメータに従い運用される。【選択図】図１
2010283638.tif 000002
【特許請求の範囲】
【請求項１】
端末と無線で通信するための基地局と、
該基地局の運用に関するパラメータを、新たに設置される前記基地局に設定するための制御装置と
を備え、
前記制御装置は、前記基地局の設置される位置情報に対応して前記パラメータが記憶されるメモリ部と、
前記基地局から受信される位置情報に基づき、前記メモリ部から対応する前記パラメータを取得して、前記基地局に送信する第１制御部と
を有し、
前記基地局は、
該基地局が設置された位置の位置情報を取得する位置情報取得部と、
前記位置情報取得部で取得された位置情報を前記制御装置に送信し、該位置情報に対応した前記パラメータを該制御装置から受信して設定する第２制御部と
を有し、
前記基地局が、位置情報に基づき設定された前記パラメータに従い運用される基地局パラメータ投入システム。
【請求項２】
前記位置情報取得部は、ＧＰＳ装置であり、
前記位置情報は、経度情報と緯度情報を含む請求項１に記載の基地局パラメータ投入システム。
【請求項３】
前記制御装置の前記メモリ部は、前記基地局の設置される前記位置情報と前記基地局の種別情報とに対応して前記パラメータが記憶され、
前記基地局の前記第２制御部は、前記位置情報取得部で取得された位置情報と、予め設定された基地局の種別情報とを前記制御装置に送信し、
前記制御装置の前記第１制御部は、前記基地局から受信される位置情報と基地局の種別情報に基づき、前記メモリ部から対応する前記パラメータを取得して、前記基地局に送信し、
前記基地局の前記第２制御部は、前記位置情報と前記種別情報に対応したパラメータを該制御装置から受信して設定する請求項１に記載の基地局パラメータ投入システム。
【請求項４】
前記パラメータは、配置される位置に応じて前記基地局ごとに異なるパラメータを含む請求項１に記載の基地局パラメータ投入システム。
【請求項５】
前記基地局は、無線部と、ベースバンド部と、インタフェース部をさらに有し、
前記パラメータは、前記第２制御部、前記無線部、前記ベースバンド部及び前記インタフェース部のいずれかで用いられるパラメータを含む請求項１に記載の基地局パラメータ投入システム。
【請求項６】
前記制御装置の前記メモリ部は、基地局識別子が位置情報に対応してさらに記憶され、
前記基地局の前記第２制御部は、前記制御装置に自基地局の基地局識別子をさらに送信し、
前記制御装置の前記第１制御部は、前記メモリ部を参照し、前記基地局から受信した前記位置情報が一致し、かつ、前記基地局識別子が一致しないエントリのパラメータを前記基地局に送信した場合、アラームを表示又は出力する請求項１に記載の基地局パラメータ投入システム。
【請求項７】
前記位置情報は、前記基地局が設置される位置に応じて予め定められた位置識別情報であり、
前記位置情報取得部は、操作者の操作により位置識別情報を入力する入力部であり、
前記基地局の前記第２制御部は、前記入力部により入力された位置識別情報を前記制御装置に送信する請求項１に記載の基地局パラメータ投入システム。
【請求項８】
端末と無線で通信するための基地局と、
該基地局の運用に関するパラメータを、新たに設置される前記基地局に設定するための制御装置と
を備え、
前記制御装置は、基地局識別子と、前記基地局の設置される位置情報とに対応して前記パラメータが記憶されるメモリ部と、
前記基地局から受信される基地局識別子と位置情報に基づき、前記メモリ部から対応する前記パラメータを取得して、前記基地局に送信する第１制御部と
を有し、
前記基地局は、
該基地局が設置された位置の位置情報を取得する位置情報取得部と、
前記制御装置から受信されるパラメータを設定する第２制御部と
を有し、
前記基地局の前記第２制御部は、前記位置情報取得部を起動し、及び、基地局識別子を前記制御装置に送信し、
前記制御装置の前記第１制御部は、前記基地局から受信される前記基地局の識別子に基づき前記メモリ部を参照して、対応するパラメータを前記基地局に送信し、
前記基地局の前記第２制御部は、基地局識別子に対応する該パラメータを受信して設定し、
前記基地局の前記第２制御部は、起動した前記位置情報取得部から自基地局の位置情報を取得し、基地局識別子と取得された位置情報とを前記制御装置に送信し、
前記制御装置の前記第１制御部は、基地局識別子と位置情報を受信し、該基地局識別子に対応する前記メモリ部の位置情報と、受信された位置情報が一致しない場合、受信された位置情報に基づき前記メモリ部を検索して、該位置情報に対応するパラメータを前記基地局に送信し、
前記基地局の前記第２制御部は、設定されたパラメータを、前記基地局の位置情報に対応するパラメータに更新し、
前記基地局が、位置情報に応じたパラメータに従い運用される基地局パラメータ投入システム。
【請求項９】
端末と無線で通信するための基地局と、前記基地局の設置される位置情報に対応して該基地局の運用に関するパラメータが記憶され、該パラメータを新たに設置される前記基地局に設定するための制御装置とを備えた無線通信システムにおける前記基地局であって、
前記基地局は、
該基地局が設置された位置の位置情報を取得する位置情報取得部と、
前記位置情報取得部で取得された位置情報を前記制御装置に送信し、該位置情報に対応したパラメータを該制御装置から受信して設定する制御部と
を有し、
位置情報に基づき設定されたパラメータに従い運用される前記基地局。
【請求項１０】
端末と無線で通信する基地局と、基地局識別子と前記基地局の設置される位置情報とに対応して該基地局の運用に関するパラメータが記憶され、該パラメータを新たに設置される前記基地局に設定するための制御装置とを備えた無線通信システムにおける前記基地局であって、
前記基地局は、
該基地局が設置された位置の位置情報を取得する位置情報取得部と、
前記制御装置から受信されるパラメータを設定する制御部と
を有し、
前記制御部は、
前記位置情報取得部を起動し、及び、基地局識別子を前記制御装置に送信し、
該基地局識別子に対応するパラメータを前記制御装置から受信して設定し、
起動した前記位置情報取得部から自基地局の位置情報を取得し、基地局識別子と取得された位置情報とを前記制御装置に送信し、
前記基地局の位置情報に対応するパラメータを前記制御装置から受信し、設定されたパラメータを、該基地局の位置情報に対応するパラメータに更新し、
位置情報に応じたパラメータに従い運用される前記基地局。
【発明の詳細な説明】
【技術分野】
【０００１】
本発明は、基地局パラメータ投入システム及び基地局に係り、特に、無線通信基地局のシステムパラメータを自動投入する基地局パラメータ投入システム及び基地局に関する。
【背景技術】
【０００２】
無線通信（又は移動体通信）の分野では、エリア設計、基地局設置工事から運用・保守（システム最適化）まで、事業者の運用コスト低減のための自動化が進められている。基地局設置工事における基地局パラメータの設定は、基地局を設置する工事担当者が設定ファイルを持参して現地で設定しているが、今後このパラメータの設定も自動化されることが想定される（自動コンフィグレーション）。例えば、非特許文献１を参照すると、パラメータを自動で設定することが求められている。また、非特許文献２には、コンフィグデータ（ｃｏｎｆｉｇ  ｄａｔａ）をダウンロードすることが開示されている。
また、特許文献１には、無線基地局は無線制御局から制御プログラムをダウンロードによって更新可能であることが開示されている。
【先行技術文献】
【特許文献】
【０００３】
【特許文献１】特開２００１−１５７２４７号公報
【非特許文献】
【０００４】
【非特許文献１】Ｎｅｘｔ  Ｇｅｎｅｒａｔｉｏｎ  Ｍｏｂｉｌｅ  Ｎｅｔｗｏｒｋｓ  Ｉｎｆｏｒｍａｔｉｖｅ  Ｌｉｓｔ  ｏｆ  ＳＯＮ  Ｕｓｅ  Ｃａｓｅ、３  Ｄｅｐｌｏｙｍｅｎｔ、３．５  Ｔｒａｎｓｐｏｒｔ  Ｐａｒａｍｅｔｅｒ  Ｓｅｔｕｐ、３．６  Ｒａｄｉｏ  Ｐａｒａｍｅｔｅｒ  Ｓｅｔｕｐ
【非特許文献２】３ＧＰＰ  ＴＳ  ３２．５０１  ３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；  Ｃｏｎｃｅｐｔｓ  ａｎｄ  Ｒｅｑｕｉｒｅｍｅｎｔｓ、６．４．２  Ｕｓｅ  Ｃａｓｅ  Ｓｅｌｆ−ｃｏｎｆｉｇｕｒａｔｉｏｎ  ｏｆ  ａ  ｎｅｗ  ｅＮｏｄｅＢ
【発明の概要】
【発明が解決しようとする課題】
【０００５】
基地局装置のパラメータは、基地局装置が設置される位置（環境）に応じて、予め制御装置（基地局装置のパラメータ情報を登録、保持、管理する装置）に、基地局装置２００毎に準備される。自動コンフィグレーション機能によって、当該設置位置に設置された基地局装置に当該パラメータがダウンロードされ、設定される。この機能を正しく動作させるためには、当該基地局装置が、計画された位置に正しく設置されていることを担保する必要があり、当該基地局装置が他の基地局設置位置に誤って設置された場合や、他の基地局装置と取り違えられて設置された場合には、これを検出し、誤ったパラメータの設定を防止し、修正する仕組みが必要となる。
【０００６】
以下、具体例をあげて説明する。
図１２は、基地局装置パラメータ自動投入手順の説明図である。
基地局装置と制御装置がネットワークで接続され、制御装置に格納されるパラメータを基地局装置に送信して設定する例を説明する。なお、課題を理解しやすくするため本発明に即して説明するが、図１２の処理が従来技術を示すものではない。
【０００７】
まず、制御装置は、各基地局装置に設定するパラメータを予め格納しておく。ここでは、例えば、基地局装置に固有の識別ＩＤと対応してパラメータを格納する。
基地局装置が所定の場所に設置されると、基地局装置は、アドレス管理装置（ＤＨＣＰサーバ等）から、自局と制御装置のＩＰアドレスを取得する。基地局装置は、制御装置に自身の基地局装置識別ＩＤを通知する。制御装置は、受信した基地局装置識別ＩＤから、対応するパラメータを検索し、該当するパラメータを基地局装置に送信する。基地局装置は、受信したパラメータを設定する。制御装置は、パラメータを送付した記録を格納する。
【０００８】
図１３及び図１４は、課題の説明図である。
制御装置１１００に格納されるパラメータは、基地局装置の設置計画位置に応じて設計・設定される。例えば、山間部の基地局装置と繁華街の基地局装置とでは、アンテナから電波を送出する角度などのパラメータが異なる場合がある。また、隣接基地局を示すネイバーリストなども基地局装置の設置位置によって異なる。
【０００９】
一方、上述の例では、制御装置において基地局のＩＤ毎にパラメータを格納し、基地局装置から受信される基地局装置のＩＤに応じたパラメータを送信している。例えば、設置位置Ａ用の基地局装置Ａ１２００を設置位置Ｂ向けに搬出し、設置位置Ｂに基地局装置Ａ１２００を設置した場合、基地局装置Ａ１２００は設置位置Ａ用のパラメータを取得して設定することになる。そして、設置位置Ｂで、設置位置Ａ用のパラメータを設定された基地局装置Ａ１２００が運用を開始する。このような、パラメータが誤って設定された状況では、設置位置に応じた所望の運用がなされないことになる。
【００１０】
上記のような設置位置Ａ用の基地局装置を設置位置Ｂ向けに搬出し、パラメータ設定誤りの原因となりうることが想定されるケースとして、一例を挙げると以下のようなものがある。
・設置位置Ａ用の基地局装置を、設置位置Ｂ向けに誤って搬出する場合
・装置故障を検出し予備品に切り替える場合（装置識別ＩＤが変わる）
・設置工事日程の変更で、在庫基地局装置を他の設置位置に転用する操作を行う場合
なお、図１４の点線枠内は、自動化によって工数、コストの低減を図りたい部分である。人手による設定から自動化に伴い、誤りを検出して修正する機能が必要となっている。
【００１１】
本発明は、以上の点に鑑み、基地局装置の設置位置に応じて基地局装置パラメータを自動的に設定する基地局パラメータ投入システム及び基地局を提供することを目的とする。また、本発明は、基地局設置計画と異なる基地局装置が設置された場合に、これを検出し、誤ったパラメータの設定を防止する仕組み、及び、誤ったパラメータの設定を修正する仕組みを提供することを目的とする。
【課題を解決するための手段】
【００１２】
本発明では、設定の誤りの防止、検出、修正機能を、例えば、
・パラメータ情報と共に予め制御装置に格納された位置情報と、基地局装置に搭載されるＧＰＳ（Ｇｒｏｂａｌ  Ｐｏｓｉｔｉｏｎｉｎｇ  Ｓｙｓｔｅｍ）装置から得られる位置情報との照合、又は、
・パラメータ情報と共に予め制御装置に格納された設置位置識別情報と、設置工事担当者が設置工事の際に基地局装置に設定する設置位置識別情報との照合
によって実現する。
【００１３】
本発明の第１の解決手段によると、
端末と無線で通信するための基地局と、
該基地局の運用に関するパラメータを、新たに設置される前記基地局に設定するための制御装置と
を備え、
前記制御装置は、前記基地局の設置される位置情報に対応して前記パラメータが記憶されるメモリ部と、
前記基地局から受信される位置情報に基づき、前記メモリ部から対応する前記パラメータを取得して、前記基地局に送信する第１制御部と
を有し、
前記基地局は、
該基地局が設置された位置の位置情報を取得する位置情報取得部と、
前記位置情報取得部で取得された位置情報を前記制御装置に送信し、該位置情報に対応した前記パラメータを該制御装置から受信して設定する第２制御部と
を有し、
前記基地局が、位置情報に基づき設定された前記パラメータに従い運用される基地局パラメータ投入システムが提供される。
【００１４】
本発明の第２の解決手段によると、
端末と無線で通信するための基地局と、
該基地局の運用に関するパラメータを、新たに設置される前記基地局に設定するための制御装置と
を備え、
前記制御装置は、基地局識別子と、前記基地局の設置される位置情報とに対応して前記パラメータが記憶されるメモリ部と、
前記基地局から受信される基地局識別子と位置情報に基づき、前記メモリ部から対応する前記パラメータを取得して、前記基地局に送信する第１制御部と
を有し、
前記基地局は、
該基地局が設置された位置の位置情報を取得する位置情報取得部と、
前記制御装置から受信されるパラメータを設定する第２制御部と
を有し、
前記基地局の前記第２制御部は、前記位置情報取得部を起動し、及び、基地局識別子を前記制御装置に送信し、
前記制御装置の前記第１制御部は、前記基地局から受信される前記基地局の識別子に基づき前記メモリ部を参照して、対応するパラメータを前記基地局に送信し、
前記基地局の前記第２制御部は、基地局識別子に対応する該パラメータを受信して設定し、
前記基地局の前記第２制御部は、起動した前記位置情報取得部から自基地局の位置情報を取得し、基地局識別子と取得された位置情報とを前記制御装置に送信し、
前記制御装置の前記第１制御部は、基地局識別子と位置情報を受信し、該基地局識別子に対応する前記メモリ部の位置情報と、受信された位置情報が一致しない場合、受信された位置情報に基づき前記メモリ部を検索して、該位置情報に対応するパラメータを前記基地局に送信し、
前記基地局の前記第２制御部は、設定されたパラメータを、前記基地局の位置情報に対応するパラメータに更新し、
前記基地局が、位置情報に応じたパラメータに従い運用される基地局パラメータ投入システムが提供される。
【００１５】
本発明の第３の解決手段によると、
端末と無線で通信するための基地局と、前記基地局の設置される位置情報に対応して該基地局の運用に関するパラメータが記憶され、該パラメータを新たに設置される前記基地局に設定するための制御装置とを備えた無線通信システムにおける前記基地局であって、
前記基地局は、
該基地局が設置された位置の位置情報を取得する位置情報取得部と、
前記位置情報取得部で取得された位置情報を前記制御装置に送信し、該位置情報に対応したパラメータを該制御装置から受信して設定する制御部と
を有し、
位置情報に基づき設定されたパラメータに従い運用される前記基地局が提供される。
本発明の第４の解決手段によると、
端末と無線で通信する基地局と、基地局識別子と前記基地局の設置される位置情報とに対応して該基地局の運用に関するパラメータが記憶され、該パラメータを新たに設置される前記基地局に設定するための制御装置とを備えた無線通信システムにおける前記基地局であって、
前記基地局は、
該基地局が設置された位置の位置情報を取得する位置情報取得部と、
前記制御装置から受信されるパラメータを設定する制御部と
を有し、
前記制御部は、
前記位置情報取得部を起動し、及び、基地局識別子を前記制御装置に送信し、
該基地局識別子に対応するパラメータを前記制御装置から受信して設定し、
起動した前記位置情報取得部から自基地局の位置情報を取得し、基地局識別子と取得された位置情報とを前記制御装置に送信し、
前記基地局の位置情報に対応するパラメータを前記制御装置から受信し、設定されたパラメータを、該基地局の位置情報に対応するパラメータに更新し、
位置情報に応じたパラメータに従い運用される前記基地局が提供される。
【発明の効果】
【００１６】
本発明によると、基地局装置の設置位置に応じて基地局装置パラメータを自動的に設定する基地局パラメータ投入システム及び基地局を提供することができる。また、本発明によると、基地局設置計画と異なる基地局装置が設置された場合に、これを検出し、誤ったパラメータの設定を防止する仕組み、及び、誤ったパラメータの設定を修正する仕組みを提供することができる。
【図面の簡単な説明】
【００１７】
【図１】システム全体の構成図である。
【図２】制御装置及び基地局装置の構成図である。
【図３】基地局装置のパラメータの例を示す。
【図４】制御装置に記憶される基地局装置パラメータ情報の構成例である。
【図５】第１の実施の形態における基地局装置パラメータ自動投入のフローチャート（１）である。
【図６】第１の実施の形態における基地局装置パラメータ自動投入のフローチャート（２）である。
【図７】基地局装置パラメータ自動投入のシーケンス図である。
【図８】第１の実施の形態の変形例における基地局装置パラメータ自動投入のフローチャートである。
【図９】第２の実施の形態における基地局装置及び制御装置のメモリの構成例である。
【図１０】第２の実施の形態における基地局装置パラメータ自動投入のフローチャート（１）である。
【図１１】第２の実施の形態における基地局装置パラメータ自動投入のフローチャート（２）である。
【図１２】基地局装置パラメータ自動投入の説明図である。
【図１３】基地局装置パラメータ自動投入における課題の説明図（１）である。
【図１４】基地局装置パラメータ自動投入における課題の説明図（２）である。
【発明を実施するための形態】
【００１８】
１．第１の実施の形態
図１は、システム全体の構成図である。
基地局装置パラメータ自動投入システムは、例えば、制御装置１００と基地局装置（基地局）２００とを備える。
制御装置１００は、基地局装置２００の運用に関するパラメータ（基地局装置パラメータ）を、基地局装置２００に設定する。制御装置１００は、表示装置又は出力装置を接続することができる。基地局装置２００は、設定されたパラメータに従い運用される。例えば、基地局装置２００は、端末３００と無線で通信する。なお、基地局装置２００は複数備えることができる。
【００１９】
図２は、制御装置及び基地局装置の構成図である。
図２（ａ）に、制御装置１００の構成図を示す。制御装置１００は、制御部（第１制御部）１１０と、メモリ部（第１メモリ部）１２０と、インタフェース部（ＩＦ部）１３０とを有する。
第１制御部１１０は、基地局装置２００から受信される位置情報と基地局装置２００の基地局タイプ情報（機種情報、種別情報）に基づき、第１メモリ部１２０から対応するパラメータを取得して、基地局装置２００に送信する。第１メモリ部１２０は、例えば、基地局装置パラメータ情報が記憶される。基地局装置パラメータ情報については、後に詳細に説明する。ＩＦ部１３０は、ネットワークとのインタフェースであり、制御装置１００はネットワークを介して基地局装置２００と通信できる。
【００２０】
図２（ｂ）に、基地局装置２００の構成図を示す。基地局装置２００は、ＲＦ部（無線部）２１０と、ベースバンド部２２０と、ネットワークインタフェース部（ＮＷ−ＩＦ部）２３０と、制御部（第２制御部）２４０と、メモリ部（第２メモリ部）２５０と、ＧＰＳ装置（位置情報取得部）２６０と、ＧＰＳアンテナ２７０と、アンテナ２８０とを有する。
【００２１】
ＧＰＳ装置２６０は、ＧＰＳアンテナ２７０を利用して、基地局装置２００が設置された位置の位置情報（例えば、経度情報と緯度情報）を取得する。制御部２４０は、基地局装置２００全体を制御する。また、制御部２４０は、ＧＰＳ部２６０で取得された位置情報と、予め設定された基地局タイプ情報とを制御装置１００に送信し、位置情報と基地局タイプ情報に対応したパラメータを制御装置１００から受信して設定する。メモリ部（第２メモリ部）２５０は、例えば、設定される基地局装置パラメータが記憶される。
【００２２】
アンテナ２８０は、基地局装置２００が無線信号を端末３００に送信及び端末３００から受信するためのアンテナである。ＲＦ部（無線部）２１０は、ベースバンド部２２０から受け取ったベースバンド信号を所定の搬送無線周波数に載せてアンテナ２８０から無線信号として送出する。また、ＲＦ部２１０は、アンテナ２８０を介して受信した無線信号から搬送無線周波数を除去してベースバンド信号に戻し、ベースバンド部２２０へ出力する。ベースバンド部２２０は、端末３００に送信するパケットをベースバンド信号に変調する。また、ベースバンド部２２０は、端末３００から受信したベースバンド信号を復調する。ネットワークインタフェース部（ＮＷ−ＩＦ部）２３０は、例えば、基地局装置２００に接続される有線ネットワークとのインタフェースである。
【００２３】
図３は、基地局装置のパラメータの例を示す。
本実施の形態におけるパラメータは、基地局装置２００の各ブロックで用いられるパラメータを含むことができる。本実施の形態においてパラメータは、複数のパラメータを含むパラメータ群を指すが、ひとつのパラメータであってよい。
ＲＦ部２１０に関連するパラメータとしては、例えば、送信電力、周波数帯域、アンテナ情報などがある。ベースバンド部２２０に関連するパラメータとしては、例えば、基地局ＩＤ（ＰＣＩ：Ｐｈｙｓｉｃａｌ  Ｃｅｌｌ  ＩＤ）、帯域、送信電力パラメータ（ＦＦＲ：Ｆｒａｃｔｉｏｎａｌ  Ｆｒｅｑｕｅｎｃｙ  Ｒｅｕｓｅ、高出力の周波数、出力等）、ネイバーリスト（隣接基地局のＰＣＩ）、ハンドオーバパラメータ（切替しきい値等）などがある。第２制御部２４０に関連するパラメータとしては、例えば、リポート情報がある。リポート情報は、例えば、基地局装置２００から何を制御装置１００に報告させるか、どのタイミング・周期で報告させるかなど、基地局装置２００から制御装置１００への報告に関する情報である。ネットワークインタフェース部２３０に関連するパラメータとしては、例えば、隣接局ＩＰアドレスがある。なお、これらに限らず、基地局装置２００の運用・設定に関する適宜のパラメータを含むこともできる。また、これらのパラメータの一部を設定するようにしてもよい。
【００２４】
図４は、制御装置１００に記憶される基地局装置パラメータ情報の構成例である。
図４に示す基地局装置パラメータ情報は、基地局配置計画などに基づき予め設計され、制御装置１００の第１メモリ部１２０に記憶される。
基地局装置パラメータ情報は、例えば、基地局装置２００が設置される設置位置情報と基地局装置２００の基地局タイプ情報と、パラメータとが対応して記憶される。また、基地局番号、装置識別ＩＤ、設定完了確認フラグが対応して記憶されてもよい。
【００２５】
基地局番号及び装置識別ＩＤはいずれも基地局装置２００を識別するための識別情報である。いずれか一方を用いてもよいし、両方を対応づけて記憶してもよい。基地局番号は、各基地局に割り当てられる論理的な番号である。番号に限らず文字などの適宜の識別子でもよい。装置識別ＩＤは、基地局装置２００固有の物理的な識別子である。例えば、製造番号などを用いることができる。
【００２６】
設置位置情報は、基地局装置２００が設置される位置を示し、例えば、経度情報と緯度情報を含む。経度情報及び緯度情報は、特定の値でもよいが、ある範囲をもつようにしてもよい。基地局装置のタイプ情報は、基地局装置の型式などを示す。例えば、ネットワークシステム内には複数の基地局装置が設置されるが、各基地局装置には大きさが異なる場合がある。例えば、基地局装置の密集するエリア（例えば、市街地）に配置される基地局装置は比較的小さい規模のものが用いられ、ひとつの基地局装置でカバーする範囲が広いエリア（例えば、山間部）に配置される基地局装置は比較的大きい規模のものが用いられる。これらの小さい規模の基地局装置と大きい規模の基地局装置が誤設置されると、位置情報に応じたパラメータが設定されても所望の運用をすることができない場合がある。本実施の形態ではこのような誤設置も検出してアラームを出力することができる。
【００２７】
パラメータは、基地局の設置位置に応じた上述の各パラメータが記憶される。設定完了確認フラグは、対応するパラメータを基地局装置２００に設定したか等を示す。例えば、パラメータを設定していないことを示す「未完了」、パラメータを基地局に設定したことを示す「完了」、装置識別ＩＤに基づきパラメータを設定し、位置情報に基づくパラメータの照合待ちであることを示す「仮完了」などが設定される。
【００２８】
図５及び図６は、第１の実施の形態における基地局装置パラメータ自動投入のフローチャート（１）及び（２）である。図７は、基地局装置パラメータ自動投入のシーケンス図である。図７は、設置位置Ａに設置される計画だった基地局Ａが、設置位置Ｂに設置された場合のシーケンス図である。
まず、制御装置１００は、基地局装置２００毎に、基地局装置識別ＩＤと、設置位置情報と、基地局タイプ情報（以下、基地局タイプと記す）と、基地局装置２００が設置される位置に応じて設計された基地局装置パラメータとを第１メモリ部１２０に格納する（Ｓ２０１、Ｓ３０１、Ｓ３０３）。
【００２９】
基地局装置２００が現場に設置されると（Ｓ１０１、Ｓ３０５）、基地局装置２００（例えば、第２制御部２４０、以下同様）は、ＧＰＳ装置２６０を起動し（Ｓ１０３）、ＧＰＳ装置２６０より位置情報を取得する（Ｓ１０７、Ｓ３０７）。また、基地局装置２００は、ＤＨＣＰサーバ等のアドレス管理装置から自局のＩＰアドレスと、制御装置１００のＩＰアドレスを取得する（Ｓ１０９、Ｓ３０９）。なお、ＩＰアドレスは適宜のタイミングで取得してもよい。基地局装置２００は、制御装置１００に自基地局の装置識別ＩＤと、取得された位置情報と、基地局タイプを通知する（Ｓ１１１、Ｓ３１１）。自基地局の装置識別ＩＤと基地局タイプは、予め記憶されることができる。
【００３０】
制御装置１００（例えば、第１制御部１１０、以下同様）は、基地局装置２００から基地局装置識別ＩＤと位置情報と基地局タイプを受信する（Ｓ２０３）。制御装置１００は、基地局装置識別ＩＤおよび位置情報をキーに、第１メモリ部１２０に格納されている基地局装置パラメータ情報を検索する（Ｓ２０５）。制御装置１００は、基地局装置識別ＩＤおよび位置情報が一致するエントリがあれば（Ｓ２０７、Ｙｅｓ）、対応する基地局タイプを参照し、受信した基地局タイプと一致するか判定する（Ｓ２０９）。
【００３１】
基地局タイプも一致する場合（Ｓ２０９、Ｙｅｓ）は、設置計画通りの位置に基地局装置２００が設置された場合に相当する。制御装置１００は、基地局装置２００にパラメータを送付する（Ｓ２１１）。基地局装置２００は、制御装置１００よりパラメータを受信し（Ｓ１１３）、受信したパラメータを設定する（Ｓ１１５）。例えば、受信したパラメータを第２メモリ部２５０に記憶する。基地局装置２００は、パラメータ設定の完了を制御装置１００に通知する（Ｓ１１７）。
【００３２】
制御装置１００は、基地局装置２００から設定完了の通知を受信する（Ｓ２１３）。また、制御装置１００は、基地局装置２００に送信したパラメータに対応する、第２メモリ部２５０のパラメータ設定完了確認フラグに「完了」を設定する（Ｓ２１５）。基地局装置２００は、設定したパラメータで運用を開始する（Ｓ１１９）。
【００３３】
一方、ステップＳ２０７において、基地局装置識別ＩＤおよび位置情報の双方が一致するエントリがなければ（Ｓ２０７：Ｎｏ、Ｓ３１３）、図６のステップＳ２１７に移る。
ステップＳ２１７では、制御装置１００は、ステップＳ２０３で基地局装置２００から受信した位置情報に基づき第１メモリ部１２０を参照し、位置情報が一致する他の基地局装置識別ＩＤのパラメータがあるか判定する（Ｓ２１７）。例えば、制御装置１００は、位置情報が一致するエントリを検索する。位置情報が一致する他の基地局装置識別ＩＤのパラメータがある場合（Ｓ２１７、Ｙｅｓ）、制御装置１００は、位置情報が一致するパラメータの基地局タイプと、ステップＳ２０３で基地局装置２００から受信した基地局タイプが一致するか判定する（Ｓ２１９）。例えば、制御装置１００は、位置情報が一致するエントリの基地局タイプと、基地局装置２００から受信した基地局タイプが一致するか判定する。
【００３４】
制御装置１００は、位置情報が一致するパラメータの基地局タイプと、基地局装置２００から受信した基地局タイプが一致する場合（Ｓ２１９、Ｙｅｓ）、位置情報と基地局タイプが一致するパラメータを読み出し、基地局装置２００に送付する（Ｓ２２１、Ｓ３１５、Ｓ３１７）。ここでは、設置位置Ｂ用のパラメータが送信される。
基地局装置２００は、制御装置１００から受信したパラメータを設定し（Ｓ３１９）、パラメータ設定の完了を制御装置１００に通知する（Ｓ３２１）。また、基地局装置２００は、設定したパラメータで運用を開始する（Ｓ３２３）。ステップＳ３１９〜Ｓ３２３は、上述のステップＳ１１３〜Ｓ１１９に相当する。
【００３５】
制御装置１００は、基地局装置２００から設定完了の通知を受信する（Ｓ２２３）。制御装置１００は、基地局装置２００に送信したパラメータに対応するエントリの装置識別ＩＤを、基地局装置２００の装置識別ＩＤに修正する。基地局装置２００の装置識別ＩＤは、ステップ２０３で受信したものを用いてもよいし、パラメータの設定完了の通知に基地局装置２００の装置識別ＩＤを含めてもよい。制御装置１００は、送信したパラメータの設定完了確認フラグに「完了」を設定する（Ｓ２２５、Ｓ３２７）。
【００３６】
制御装置１００は、第２メモリ部２５０内の装置識別ＩＤと、基地局装置２００より通知された装置識別ＩＤが一致するパラメータがあれば、対応する基地局識別ＩＤ欄のデータを消去する（Ｓ２２７、Ｓ３２９）。また、制御装置１００は、表示装置にアラームを出力する（Ｓ２２９、Ｓ３３１）。例えば、パラメータ情報不整合あり、位置情報一致パラメータの設定完了などを表示又は出力する。
上述のステップＳ２０９、Ｓ２１７、Ｓ２１９でＮｏと判断された場合には、制御装置１００は、表示装置にアラームを出力（誤設置を通知）し（Ｓ２３１）、基地局装置２００にアラームを通知する（Ｓ２３３）。
【００３７】
なお、本実施の形態において、ＧＰＳ装置２６０は、基地局装置２００に備えられてもよいし、例えば、基地局装置２００を設置しパラメータを設定する際に外部のＧＰＳ装置に接続されるようにしてもよい。この場合、基地局装置２００は、位置情報取得部により外部のＧＰＳから自基地局の位置情報を取得する。
本実施の形態によると、ＧＰＳによる位置情報からパラメータを引き出して、装置異存のない自動コンフィグレーションを実現できる。また、本実施の形態によると、ＧＰＳ装置２６０で位置情報を取得するので、操作者の設定誤りを防止することもできる。
【００３８】
（変形例）
図８は、第１の実施の形態の変形例における基地局装置パラメータ自動投入のフローチャートである。
本変形例では、基地局装置２００の設置された位置の確認を行う前にパラメータを一旦設定し、その後、ＧＰＳより取得した位置情報を基に、照合を実施する。一般的に、基地局装置２００を設置後、ＧＰＳ装置２６０を起動し、ＧＰＳ装置２６０が衛星からの信号を安定的に受信して位置情報を取得できるようになるまでには、数十分かかる場合がある。本変形例は、工事時間の削減を目的のひとつとし、工事作業者がＧＰＳの起動完了を待たずに、その他の必要な作業を順次行えるようにすることができる。例えば、ＧＰＳ装置２６０を起動後、基地局装置２００の装置識別ＩＤを基にパラメータを設定して工事作業者が必要な作業を行い、ＧＰＳ装置２６０から位置情報を取得後、照合・修正する。
【００３９】
基地局装置２００及び制御装置１００の動作を説明する。なお、上述の処理と同じものについては、同様の符号を付し、説明を省略する。
基地局装置２００におけるステップＳ１０１〜Ｓ１０９、制御装置１００におけるステップＳ２０１は上述の通りである。
【００４０】
ステップＳ５０９では、基地局装置２００は、制御装置１００に基地局装置２００の装置識別ＩＤと基地局タイプを通知する（Ｓ５０９）。制御装置１００は、基地局装置２００から基地局装置２００の装置識別ＩＤと基地局タイプを受信する（Ｓ６０３）。制御装置１００は、受信された基地局装置識別ＩＤおよび基地局タイプをキーに、第１メモリ部１２０に格納されている基地局装置パラメータ情報を検索する（Ｓ６０５）。また、制御装置１００は、基地局装置識別ＩＤおよび基地局タイプが一致するパラメータがあるか判定する（Ｓ６０７）。例えば、受信した基地局装置識別ＩＤおよび基地局タイプが一致するエントリがあれば、該当パラメータがあると判定し、ステップＳ２１１に移る。
【００４１】
なお、該当パラメータがなければ（Ｓ６０７、Ｎｏ）、制御装置１００は、表示装置にアラームを出力（誤設置を通知）し（Ｓ６２１）、基地局装置２００にアラームを通知する（Ｓ６２３）。
ステップ２１１〜２１３、ステップＳ１１３〜Ｓ１１９は上述の通りである。制御装置１００は、基地局装置２００から設定完了の通知を受信すると（Ｓ２１３）、基地局装置２００に送信したパラメータに対応する、第１メモリ部１２０のパラメータ設定完了確認フラグに「仮完了」を設定する（Ｓ６）。
【００４２】
基地局装置２００は、ＧＰＳ装置２６０の動作が安定すると、ＧＰＳ装置２６０より位置情報を取得する（Ｓ５２１）。基地局装置２００は、制御装置１００に基地局装置２００の装置識別ＩＤと、取得された位置情報と、基地局タイプを通知する（Ｓ５２３）。制御装置１００は、基地局装置２００から基地局装置識別ＩＤと位置情報と基地局タイプを受信すると（Ｓ６１７）、第１メモリ部１２０を参照して、受信した位置情報が、送付したパラメータに対応する位置情報と一致するか判定する（Ｓ６１９）。例えば、受信した装置識別ＩＤに基づき第１メモリ部１２０を検索し、対応する位置情報と、受信した位置情報とが一致するか判定する。一致する場合は（Ｓ６１９、Ｙｅｓ）、基地局装置２００が設置計画通りの位置に設置された場合に相当し、ステップＳ２１５の処理を実行する。一方、一致しない場合（Ｓ６１９、Ｎｏ）、図６のステップＳ２１７の処理に移る。以降の処理は、図６の各処理と同様である。
本変形例によると、プレインストールされているＩＤからパラメータを引き出して設定し、ＧＰＳ情報に基づいた確認フェーズを持つ自動コンフィグレーションを実現できる。
【００４３】
２．第２の実施の形態
本実施の形態では、ＧＰＳ装置により位置情報を取得するかわりに、基地局装置２００を設置する作業者の操作により設置位置の位置識別情報を入力する。
【００４４】
図９は、第２の実施の形態における基地局装置及び制御装置のメモリの構成例である。
図９（ａ）に、本実施の形態における基地局装置２００の構成図を示す。基地局装置２００は、ＲＦ部（無線部）２１０と、ベースバンド部２２０と、ネットワークインタフェース部（ＮＷ−ＩＦ部）２３０と、制御部（第２制御部）２４０と、メモリ部（第２メモリ部）２５０と、アンテナ２８０と、入力部２９０を有する。
入力部２９０は、操作者の操作により位置識別情報を入力する。入力部２９０としては、例えば、テンキーやキーボードなどの入力手段や、キーボードや外部のＰＣなどに接続可能なインタフェース等を用いることができる。他の構成は、第１の実施の形態と同様であるので、同じ符号を付し、説明を省略する。
【００４５】
図９（ｂ）は、第２の実施の形態において制御装置１００に記憶される基地局装置パラメータ情報の構成例である。
図４に示す第１の実施の形態の構成と比べると、経度情報と緯度情報が記憶された設置位置情報が、位置識別情報に変わる。位置識別情報は、基地局装置２００が設置される位置を特定するためのものであり、例えば地名や地番などを用いてもよい。また、図９（ｂ）の例では「ＳＨＩＢＵＹＡ」などを用いているが、「ＳＨＩＢＵＹＡ−１」、「ＳＨＩＢＵＹＡ−２」など、地名と数字・文字を組み合わせた識別情報でもよい。位置識別情報は予め定められており、基地局装置２００を設置する作業者も位置識別情報を知っている。
【００４６】
図１０は、第２の実施の形態における基地局装置パラメータ自動投入のフローチャート（１）である。図１１は、第２の実施の形態における基地局装置パラメータ自動投入のフローチャート（２）である。
まず、制御装置１００は、基地局装置２００毎に、基地局装置識別ＩＤと、設置位置識別情報と、基地局タイプと、基地局装置２００が設置される位置に応じて設計された基地局装置パラメータとを第１メモリ部１２０に格納する（Ｓ８０１）。
【００４７】
基地局装置２００が現場に設置されると（Ｓ１０１）、基地局装置２００（例えば、第２制御部２４０、以下同様）は、入力部２９０より設置位置識別情報を取得する（Ｓ７０３）。例えば、操作者の操作により基地局装置２００が設置された位置に応じた設置位置識別情報が入力される。また、基地局装置２００は、ＤＨＣＰサーバ等のアドレス管理装置から自局のＩＰアドレスと、制御装置１００のＩＰアドレスを取得する（Ｓ１０９）。なお、ＩＰアドレスは適宜のタイミングで取得してもよい。基地局装置２００は、制御装置１００に自基地局の装置識別ＩＤと、入力された設置位置識別情報と、基地局タイプを通知する（Ｓ７１１）。自基地局の装置識別ＩＤと基地局タイプは、予め記憶されることができる。
【００４８】
制御装置１００（例えば、第１制御部１１０、以下同様）は、基地局装置２００から基地局装置識別ＩＤと設置位置識別情報と基地局タイプを受信する（Ｓ８０３）。制御装置１００は、基地局装置識別ＩＤおよび設置位置識別情報をキーに、第１メモリ部１２０に格納されている基地局装置パラメータ情報を検索する（Ｓ８０５）。制御装置１００は、基地局装置識別ＩＤおよび設置位置識別情報が一致するエントリがあれば（Ｓ８０７、Ｙｅｓ）、対応する基地局タイプを参照し、受信した基地局タイプと一致するか判定する（Ｓ８０９）。
【００４９】
基地局タイプも一致する場合（Ｓ８０９、Ｙｅｓ）は、設置計画通りの位置に基地局装置２００が設置された場合に相当する。制御装置１００におけるステップＳ２１１〜Ｓ２１５、及び、基地局装置２００におけるステップＳ１１３〜Ｓ１１９は、第１の実施の形態と同様である。
【００５０】
一方、ステップＳ８０７において、基地局装置識別ＩＤおよび設置位置識別情報の双方が一致するエントリがなければ（Ｓ８０７：Ｎｏ）、図１１のステップＳ８１７に移る。
ステップＳ８１７では、制御装置１００は、ステップＳ８０３で基地局装置２００から受信した設置位置識別情報に基づき第１メモリ部１２０を参照し、設置位置識別情報が一致する他の基地局装置識別ＩＤのパラメータがあるか判定する（Ｓ８１７）。例えば、制御装置１００は、設置位置識別情報が一致するエントリを検索する。設置位置識別情報が一致する他の基地局装置識別ＩＤのパラメータがある場合（Ｓ８１７、Ｙｅｓ）、制御装置１００は、設置位置識別情報が一致するパラメータの基地局タイプと、受信した基地局タイプが一致するか判定する（Ｓ８１９）。例えば、制御装置１００は、設置位置識別情報が一致するエントリの基地局タイプと、ステップＳ８０３で基地局装置２００から受信した基地局タイプが一致するか判定する。
【００５１】
制御装置１００は、設置位置識別情報が一致するパラメータの基地局タイプと、受信した基地局タイプが一致する場合（Ｓ８１９、Ｙｅｓ）、設置位置識別情報と基地局タイプが一致するパラメータを読み出し、基地局装置２００に送付する（Ｓ８２１）。
基地局装置２００は、制御装置１００から受信したパラメータを設定し、パラメータ設定の完了を制御装置１００に通知する。また、基地局装置２００は、設定したパラメータで運用を開始する。これらのステップは、上述のステップＳ１１３〜Ｓ１１９に相当する。
【００５２】
制御装置１００におけるステップＳ２２３〜Ｓ２２９は、第１の実施の形態と同様である。また、上述のステップＳ８０９、Ｓ８１７、Ｓ８１９でＮｏと判断された場合には、制御装置１００は、表示装置にアラームを出力（誤設置を通知）し（Ｓ２３１）、基地局装置２００にアラームを通知する（Ｓ２３３）。
本実施の形態によると、ＧＰＳ装置などの構成がなくても、位置情報に基づくパラメータ設定ができる。
【産業上の利用可能性】
【００５３】
本発明は、例えば、無線基地局を有する無線通信システムに利用可能である。
【符号の説明】
【００５４】
１００  制御装置
１１０  制御部（第１制御部）
１２０  メモリ部（第１メモリ部）
１３０  インタフェース部（ＩＦ部）
２００  基地局装置
２１０  ＲＦ部（無線部）
２２０  ベースバンド部
２３０  ネットワークインタフェース部（ＮＷ−ＩＦ部）
２４０  制御部（第２制御部）
２５０  メモリ部（第２メモリ部）
２６０  ＧＰＳ装置（位置情報取得部）
２７０  ＧＰＳアンテナ
２８０  アンテナ
２９０  入力部
３００  端末
【図１】
2010283638.tif 000003
【図２】
2010283638.tif 000004
【図３】
2010283638.tif 000005
【図４】
2010283638.tif 000006
【図５】
2010283638.tif 000007
【図６】
2010283638.tif 000008
【図７】
2010283638.tif 000009
【図８】
2010283638.tif 000010
【図９】
2010283638.tif 000011
【図１０】
2010283638.tif 000012
【図１１】
2010283638.tif 000013
【図１２】
2010283638.tif 000014
【図１３】
2010283638.tif 000015
【図１４】
2010283638.tif 000016